(57)【特許請求の範囲】
【請求項１】
複数のセル領域を含むタッチパネル用ガラスシート（ｇｌａｓｓ  ｓｈｅｅｔ）を一つの全体領域として撮像または、区分された領域に分割して撮像した映像を獲得する映像獲得部；
前記映像で複数のセル領域の各々に対して少なくとも一つの周期比較領域及び少なくとも一つのセル対セル（ｃｅｌｌ−ｔｏ−ｃｅｌｌ）比較領域を指定する入力を受信する領域設定部；及び
前記映像において、前記周期比較領域内のピクセルを予め設定された周期単位で前記設定された周期単位同士に比べるための第１映像検査及び前記映像で前記セル対セル比較領域を前記複数のセル領域中の少なくとも３個のセル領域の間で比べるための第２映像検査の少なくとも一つを行って、前記ガラスシート上の欠陥を検出する欠陥検出部を含む、タッチパネル検査装置。
【請求項２】
前記映像獲得部は、前記ガラスシートのレイアウト情報を用いて前記複数のセル領域を識別する入力部；及び識別された前記複数のセル領域を撮像して前記映像を獲得する撮像機器を含むことを特徴とする、請求項１に記載のタッチパネル検査装置。
【請求項３】
前記入力は、前記セル対セル比較領域内で検査領域及び前記検査領域に対する異なる検査条件を指定し、
前記欠陥検出部は、前記検査条件により前記第２映像検査を行うことを特徴とする、請求項１に記載のタッチパネル検査装置。
【請求項４】
前記入力は、前記映像に対して非検査領域を指定し、
前記欠陥検出部は、前記非検査領域に対して映像検査を省略することを特徴とする、請求項１に記載のタッチパネル検査装置。
【請求項５】
前記入力は、前記映像に対して複数の区分された下位領域を指定し、
前記欠陥検出部は、前記第１映像検査及び前記第２映像検査を前記複数の区分された下位領域別に行うことを特徴とする、請求項１に記載のタッチパネル検査装置。
【請求項６】
前記複数の区分された下位領域それぞれの内の単位セルパターンは、同一であることを特徴とする、請求項５に記載のタッチパネル検査装置。
【請求項７】
前記複数の区分された下位領域の内の一の単位セルパターンは、前記複数の区分された下位領域の中の他の下位領域内の単位セルパターンと異なることを特徴とする、請求項５に記載のタッチパネル検査装置。
【請求項８】
前記入力は、前記映像に対して複数の区分された下位領域を指定し、前記複数の区分された下位領域の中の少なくとも２個の下位領域で前記周期比較領域の相対的位置を同一に指定し、前記複数の区分された下位領域別に前記セル対セル比較領域の相対的位置を異なるように指定することを特徴とする、請求項１に記載のタッチパネル検査装置。
【請求項９】
前記入力は、前記映像に対して複数の区分された下位領域を指定し、前記複数の区分された下位領域別に前記周期比較領域の相対的位置を異なるように指定し、前記複数の区分された下位領域の中の少なくとも２個の下位領域で前記セル対セル比較領域の相対的位置を同一に指定することを特徴とする、請求項１に記載のタッチパネル検査装置。
【請求項１０】
前記入力は、前記映像に対して複数の区分された下位領域を指定し、前記複数の区分された下位領域の中の少なくとも２個の下位領域それぞれには、単位セルパターンが含まれることを特徴とする、請求項１に記載のタッチパネル検査装置。
【請求項１１】
前記入力は、前記複数の区分された下位領域それぞれの非検査領域を指定し、前記少なくとも２個の区分された下位領域それぞれには、前記非検査領域を除いた領域で同一のパターンを有する単位セルパターンが含まれ、
前記欠陥検出部は、前記非検査領域に対して映像検査を省略することを特徴とする、請求項１０に記載のタッチパネル検査装置。
【請求項１２】
前記入力は、前記映像に対して複数の区分された下位領域を指定して前記複数の区分された下位領域それぞれの非検査領域を指定し、前記複数の区分された下位領域の中の少なくとも２個の下位領域それぞれには、前記非検査領域で異なるパターンを有する単位セルパターンが含まれ、
前記欠陥検出部は、前記非検査領域に対して映像検査を省略することを特徴とする、請求項１に記載のタッチパネル検査装置。
【請求項１３】
前記欠陥検出部が、前記第１映像検査及び前記第２映像検査の中の少なくとも一つを通じて検出した前記欠陥の位置を表示する出力部をさらに含むことを特徴とする、請求項１に記載のタッチパネル検査装置。
【請求項１４】
前記出力部は、前記表示に対する選択に応答して前記欠陥を示す映像をディスプレイすることを特徴とする、請求項１３に記載のタッチパネル検査装置。
【請求項１５】
複数のセル領域を含むタッチパネル用ガラスシートを一つの全体領域として撮像または、区分された領域に分割して撮像した映像を獲得する段階；
前記映像で複数のセル領域の各々に対して少なくとも一つの周期比較領域及び少なくとも一つのセル対セル比較領域を指定する入力を受信する段階；及び
前記映像において、前記周期比較領域内のピクセルを予め設定された周期単位で前記設定された周期単位同士に比べるための第１映像検査及び前記映像で前記セル対セル比較領域を前記複数のセル領域の中の少なくとも３個のセル領域の間で比べるための第２映像検査の中の少なくとも一つを行って、前記ガラスシート上の欠陥を検出する段階を含む、タッチパネル検査方法。
【請求項１６】
前記獲得する段階は、前記ガラスシートのレイアウト情報を用いて前記複数のセル領域を識別する段階；及び識別された前記複数のセル領域を撮像して前記映像を獲得する段階を含むことを特徴とする、請求項１５に記載のタッチパネル検査方法。
【請求項１７】
前記入力は、前記セル対セル比較領域内で検査領域及び前記検査領域に対する異なる検査条件を指定し、
前記第２映像検査は、前記検査条件により行われることを特徴とする、請求項１５に記載のタッチパネル検査方法。
【請求項１８】
前記入力は、前記映像に対して非検査領域を指定し、
前記検出する段階は、前記非検査領域に対して映像検査を省略することを特徴とする、請求項１５に記載のタッチパネル検査方法。
【請求項１９】
前記入力は、前記映像に対して複数の区分された下位領域を指定し、
前記検出する段階は、前記第１映像検査及び前記第２映像検査を前記複数の区分された下位領域別に行う段階を含むことを特徴とする、請求項１５に記載のタッチパネル検査方法。
【請求項２０】
前記複数の区分された下位領域それぞれの内の単位セルパターンは、同一であることを特徴とする、請求項１９に記載のタッチパネル検査方法。
【請求項２１】
前記複数の区分された下位領域の内の一の単位セルパターンは、前記複数の区分された下位領域の中の他の下位領域内の単位セルパターンと異なることを特徴とする、請求項１９に記載のタッチパネル検査方法。
【請求項２２】
前記入力は、前記映像に対して複数の区分された下位領域を指定し、前記複数の区分された下位領域の中の少なくとも２個の下位領域で前記周期比較領域の相対的位置を同一に指定し、前記複数の区分された下位領域別に前記セル対セル比較領域の相対的位置を異なるように指定することを特徴とする、請求項１５に記載のタッチパネル検査方法。
【請求項２３】
前記入力は、前記映像に対して複数の区分された下位領域を指定し、前記複数の区分された下位領域別に前記周期比較領域の相対的位置を異なるように指定し、前記複数の区分された下位領域の中の少なくとも２個の下位領域で前記セル対セル比較領域の相対的位置を同一に指定することを特徴とする、請求項１５に記載のタッチパネル検査方法。
【請求項２４】
前記入力は、前記映像に対して複数の区分された下位領域を指定し、前記複数の区分された下位領域の中の少なくとも２個の下位領域それぞれには、単位セルパターンが含まれることを特徴とする、請求項１５に記載のタッチパネル検査方法。
【請求項２５】
前記入力は、前記複数の区分された下位領域それぞれの非検査領域を指定し、前記少なくとも２個の区分された下位領域それぞれには、前記非検査領域を除いた領域で同一のパターンを有する単位セルパターンが含まれ、
前記検出する段階は、前記非検査領域に対して映像検査を省略することを特徴とする、請求項２４に記載のタッチパネル検査方法。
【請求項２６】
前記入力は、前記映像に対して複数の区分された下位領域を指定し、前記複数の区分された下位領域それぞれの非検査領域を指定し、前記複数の区分された下位領域の中の少なくとも２個の下位領域それぞれには、前記非検査領域で異なるパターンを有する単位セルパターンが含まれ、
前記検出する段階は、前記非検査領域に対して映像検査を省略することを特徴とする、請求項１５に記載のタッチパネル検査方法。
【請求項２７】
前記第１映像検査及び前記第２映像検査の中の少なくとも一つを通じて検出した前記欠陥の位置を表示する段階をさらに含むことを特徴とする、請求項１５に記載のタッチパネル検査方法。
【請求項２８】
前記表示に対する選択に応答して前記欠陥を示す映像をディスプレイする段階をさらに含むことを特徴とする、請求項２７に記載のタッチパネル検査方法。
【発明の詳細な説明】
【技術分野】
【０００１】
本発明は、タッチパネルの検査のための装置及び方法に関する。
【背景技術】
【０００２】
タッチパネル（ｔｏｕｃｈ  ｐａｎｅｌ）は、携帯電話、スマートフォン、タブレットＰＣ、ラップトップコンピュータ、デスクトップコンピュータなどのようなコンピュータ装置のユーザーにディスプレイ装置をタッチするジェスチャーを行わせてコンピュータ装置と通信できるようにする機能をディスプレイ装置に付加するものとして広く使用されている。
【０００３】
タッチパネルは、Ｘ軸方向及びＹ軸方向にパターニングされたセンサー電極をガラスシート（ｇｌａｓｓ  ｓｈｅｅｔ）上に蒸着する方式で製造され得る。従来の多くのタッチパネル製造方式が、ディスプレイパネルに積層されるタッチパネルに適合した大きさのセル（ｃｅｌｌ）単位でガラスシートを切断した後、センサー電極を個別的なセル単位のガラス上に配置する工程を適用した。しかし、最近は、上記のような工程の収率を向上させるために、複数のセル領域を含むガラスシート上にセンサー電極を形成した後、最終的にガラスシートを複数のセル領域にそれぞれ対応するタッチパネルに切断する製造方式も試みられている。
【０００４】
実際のタッチパネル製造工程の進行過程においては、様々な要因によりタッチパネルの表面または内部に異物が付着したり、汚染や傷が生じてタッチパネル上に多様な形態の欠陥が現れることがある。これにより、このような欠陥を検出する工程が後続することがある。このような欠陥検出のための検査方式として、タッチパネルの外観の映像をカメラのような撮像機器で捕捉して、その映像を分析する光学検査方式が通常使用されている。
【０００５】
しかし、多くの工程を経て製造されたタッチパネル上には、規則的なパターンが存在する領域、非規則的なパターンが存在する領域、欠陥検出のための検査が必要な領域、そのような検査が省略されても構わない領域などのような多様な領域が存在する。また、各領域及び各パターンに対する検査条件が必ずしも同一のものではない。したがって、多様な領域から発生した異なる形態の欠陥をさらに効率的に、さらに高い正確度で検出するための新しい手法が要求される。
【０００６】
大韓民国公開特許公報第２０１１-００２０４３７号は、ウエハーの欠陥検査のために候補ダイ（ｄｉｅ）と平均標準ダイのグレーレベルを比べて欠陥を判定する方法を開示するが、ダイ上の多くの領域のそれぞれの特性を考慮する必要性は相変らず存在する。
【先行技術文献】
【特許文献】
【０００７】
【特許文献１】大韓民国公開特許公報第２０１１−００２０４３７号
【発明の概要】
【発明が解決しようとする課題】
【０００８】
本発明は、タッチパネル上の多様な領域に対して各領域の特性及び検査条件によりタッチパネル上の欠陥をさらに効率的に、さらに正確に検出することができるタッチパネル検査装置を提供することを目的とする。
【０００９】
本発明は、そのようなタッチパネル検査方法を提供することを目的とする。
【課題を解決するための手段】
【００１０】
１．複数のセル領域を含むタッチパネル用ガラスシート（ｇｌａｓｓ  ｓｈｅｅｔ）を一つの全体領域として撮像または、区分された領域に分割して撮像した映像を獲得する映像獲得部；
前記映像に対して周期比較領域及びセル対セル（ｃｅｌｌ−ｔｏ−ｃｅｌｌ）比較領域を指定する入力を受信する領域設定部；及び
前記映像において、前記周期比較領域内のピクセルを予め設定された周期単位で比べるための第１映像検査及び前記映像で前記セル対セル比較領域を前記複数のセル領域の中の少なくとも３個のセル領域の間で比べるための第２映像検査の中の少なくとも一つを行って、前記ガラスシート上の欠陥を検出する欠陥検出部を含む、タッチパネル検査装置。
【００１１】
２．上の１において、前記映像獲得部は、前記ガラスシートのレイアウト情報を用いて前記複数のセル領域を識別する入力部；及び識別された前記複数のセル領域を撮像して前記映像を獲得する撮像機器を含む、タッチパネル検査装置。
【００１２】
３．上の１において、前記入力は、また、前記セル対セル比較領域内に検査領域及び前記検査領域に対する異なる検査条件を指定し、前記欠陥検出部は、前記検査条件により前記第２映像検査を行う、タッチパネル検査装置。
【００１３】
４．上の１において、前記入力は、また、前記映像に対して非検査領域を指定し、前記欠陥検出部は、また、前記非検査領域に対して映像検査を省略する、タッチパネル検査装置。
【００１４】
５．上の１において、前記入力は、また、前記映像に対して複数の区分された下位領域を指定し、前記欠陥検出部は、前記第１映像検査及び前記第２映像検査を前記複数の区分された下位領域別に行う、タッチパネル検査装置。
【００１５】
６．上の５において、前記複数の区分された下位領域それぞれの内の単位セルパターンは同一である、タッチパネル検査装置。
【００１６】
７．上の５において、前記複数の区分された下位領域の内の単位セルパターンは、前記複数の区分された下位領域の中の他の下位領域内の単位セルパターンと異なる、タッチパネル検査装置。
【００１７】
８．上の１において、前記入力は、また、前記映像に対して複数の区分された下位領域を指定して前記複数の区分された下位領域の中の少なくとも２個の下位領域で前記周期比較領域の相対的位置を同一に指定し、前記複数の区分された下位領域別に前記セル対セル比較領域の相対的位置を異なるように指定する、タッチパネル検査装置。
【００１８】
９．上の１において、前記入力は、また、前記映像に対して複数の区分された下位領域を指定し、前記複数の区分された下位領域別に前記周期比較領域の相対的位置を異なるように指定し、前記複数の区分された下位領域の中の少なくとも２個の下位領域で前記セル対セル比較領域の相対的位置を同一に指定する、タッチパネル検査装置。
【００１９】
１０．上の１において、前記入力は、また、前記映像に対して複数の区分された下位領域を指定し、前記複数の区分された下位領域の中の少なくとも２個の下位領域それぞれには単位セルパターンが含まれる、タッチパネル検査装置。
【００２０】
１１．上の１０において、前記入力は、また、前記複数の区分された下位領域それぞれの非検査領域を指定し、前記少なくとも２個の区分された下位領域それぞれには、前記非検査領域を除いた領域で同一のパターンを有する単位セルパターンが含まれ、前記欠陥検出部は、また、前記非検査領域に対して映像検査を省略する、タッチパネル検査装置。
【００２１】
１２．上の１において、前記入力は、また、前記映像に対して複数の区分された下位領域を指定し、前記複数の区分された下位領域それぞれの非検査領域を指定し、前記複数の区分された下位領域の中の少なくとも２個の下位領域それぞれには、前記非検査領域で異なるパターンを有する単位セルパターンが含まれ、前記欠陥検出部は、また、前記非検査領域に対して映像検査を省略する、タッチパネル検査装置。
【００２２】
１３．上の１において、前記欠陥検出部が前記第１映像検査及び前記第２映像検査の中の少なくとも一つを通じて検出した前記欠陥の位置を表示する出力部をさらに含む、タッチパネル検査装置。
【００２３】
１４．上の１３において、前記出力部は、また、前記表示に対する選択に応答して前記欠陥を示す映像をディスプレイする、タッチパネル検査装置。
【００２４】
１５．複数のセル領域を含むタッチパネル用ガラスシートを一つの全体領域として撮像または、区分された領域に分割して撮像した映像を獲得する段階；
前記映像に対して周期比較領域及びセル対セル比較領域を指定する入力を受信する段階；及び
前記映像において、前記周期比較領域内のピクセルを予め設定された周期単位で比べるための第１映像検査及び前記映像で前記セル対セル比較領域を前記複数のセル領域の中の少なくとも３個のセル領域の間で比べるための第２映像検査の中の少なくとも一つを行って、前記ガラスシート上の欠陥を検出する段階を含む、タッチパネル検査方法。
【００２５】
１６．上の１５において、前記獲得する段階は、前記ガラスシートのレイアウト情報を用いて前記複数のセル領域を識別する段階；及び識別された前記複数のセル領域を撮像して前記映像を獲得する段階を含む、タッチパネル検査方法。
【００２６】
１７．上の１５において、前記入力は、また、前記セル対セル比較領域内に検査領域及び前記検査領域に対する異なる検査条件を指定し、前記第２映像検査は、前記検査条件により行われる、タッチパネル検査方法。
【００２７】
１８．上の１５において、前記入力は、また、前記映像に対して非検査領域を指定し、前記検出する段階は、前記非検査領域に対して映像検査を省略する、タッチパネル検査方法。
【００２８】
１９．上の１５において、前記入力は、また、前記映像に対して複数の区分された下位領域を指定し、前記検出する段階は、前記第１映像検査及び前記第２映像検査を前記複数の区分された下位領域別に行う段階を含む、タッチパネル検査方法。
【００２９】
２０．上の１９において、前記複数の区分された下位領域それぞれの内の単位セルパターンは同一である、タッチパネル検査方法。
【００３０】
２１．上の１９において、前記複数の区分された下位領域の内の一の単位セルパターンは、前記複数の区分された下位領域の中の他の下位領域内の単位セルパターンと異なる、タッチパネル検査方法。
【００３１】
２２．上の１５において、前記入力は、また、前記映像に対して複数の区分された下位領域を指定し、前記複数の区分された下位領域の中の少なくとも２個の下位領域で前記周期比較領域の相対的位置を同一に指定し、前記複数の区分された下位領域別に前記セル対セル比較領域の相対的位置を異なるように指定する、タッチパネル検査方法。
【００３２】
２３．上の１５において、前記入力は、また、前記映像に対して複数の区分された下位領域を指定し、前記複数の区分された下位領域別に前記周期比較領域の相対的位置を異なるように指定し、前記複数の区分された下位領域の中の少なくとも２個の下位領域で前記セル対セル比較領域の相対的位置を同一に指定する、タッチパネル検査方法。
【００３３】
２４．上の１５において、前記入力は、また、前記映像に対して複数の区分された下位領域を指定し、前記複数の区分された下位領域の中の少なくとも２個の下位領域それぞれには単位セルパターンが含まれる、タッチパネル検査方法。
【００３４】
２５．上の２４において、前記入力は、また、前記複数の区分された下位領域それぞれの非検査領域を指定し、前記少なくとも２個の区分された下位領域それぞれには、前記非検査領域を除いた領域で同一のパターンを有する単位セルパターンが含まれ、前記検出する段階は、前記非検査領域に対して映像検査を省略する、タッチパネル検査方法。
【００３５】
２６．上の１５において、前記入力は、また、前記映像に対して複数の区分された下位領域を指定し、前記複数の区分された下位領域それぞれの非検査領域を指定し、前記複数の区分された下位領域の中の少なくとも２個の下位領域それぞれには、前記非検査領域で異なるパターンを有する単位セルパターンが含まれ、前記検出する段階は、前記非検査領域に対して映像検査を省略する、タッチパネル検査方法。
【００３６】
２７．上の１５において、前記第１映像検査及び前記第２映像検査の中の少なくとも一つを通じて検出した前記欠陥の位置を表示する段階をさらに含む、タッチパネル検査方法。
【００３７】
２８．上の２７において、前記表示に対する選択に応答して前記欠陥を示す映像をディスプレイする段階をさらに含む、タッチパネル検査方法。
【発明の効果】
【００３８】
本発明のタッチパネル検査装置及び方法は、タッチパネル上の多様な領域に対して各領域の特性及び検査条件により容易に映像分析に基づく検査を行うため、タッチパネル上の欠陥をさらに効率的でさらに正確に検出することができる。
【図面の簡単な説明】
【００３９】
【図１】図１は、本発明の一実施例によるタッチパネル検査装置を示す図である。
【図２】図２は、本発明の一実施例によるタッチパネル用ガラスシートのレイアウトを示す図である。
【図３】図３は、本発明の一実施例により、図１の映像獲得部の構成を図示したブロック図である。
【図４】図４は、本発明の一実施例により、ユーザーが周期比較領域及びセル対セル比較領域の指定において適合したユーザーインターフェースを図示する。
【図５】図５は、本発明の一実施例により、指定された周期比較領域及びセル対セル比較領域を説明するための図である。
【図６】図６は、本発明の一実施例により、セル対セル比較領域内部に指定された検査領域及びその検査領域に対する異なる検査条件を説明するための図である。
【図７】図７は、本発明の一実施例により、検出された欠陥の位置を表示するユーザーインターフェースを図示する。
【図８】図８は、本発明の一実施例により、横/縦周期比較法を通じて検出された欠陥を示す映像を例示したものである。
【図９】図９は、本発明の一実施例により、セル対セル比較法を通じて検出された欠陥を示す映像及び比較された周辺セル領域内の対応する部分を示す映像を例示したものである。
【発明を実施するための形態】
【００４０】
以下、図面を参照して本発明の具体的な実施例を説明する。しかし、これは例示に過ぎず、本発明はこれに制限されない。
【００４１】
本発明の実施例の説明において、本発明と関連する公知の技術に対する具体的な説明が本発明の要旨を不必要に曖昧にし得ると判断される場合には、その詳細な説明を省略する。そして、後述される用語は、本発明においての機能を考慮して定義された用語であり、これはユーザー、運用者の意図または慣例などにより変わることがある。したがって、その定義は、本明細書の全般にわたった内容を基にしなければならない。
【００４２】
本発明の一実施例によるタッチパネル検査装置は、複数のセル領域を含むタッチパネル用ガラスシート（ｇｌａｓｓ  ｓｈｅｅｔ）を一つの全体領域として撮像したり、区分された領域に分割して撮像した映像を獲得する映像獲得部；前記映像に対して周期比較領域及びセル対セル（ｃｅｌｌ−ｔｏ−ｃｅｌｌ）比較領域を指定する入力を受信する領域設定部；及び前記映像で前記周期比較領域内のピクセルを予め設定された周期単位で比べるための第１映像検査及び前記映像で前記セル対セル比較領域を前記複数のセル領域の中の少なくとも３個のセル領域の間で比べるための第２映像検査の中の少なくとも一つを行って、前記ガラスシート上の欠陥を検出する欠陥検出部を含み、タッチパネル上の各領域の特性及び検査条件により容易に映像分析に基づく検査を行うため、タッチパネル上の欠陥をさらに効率的に、さらに正確に検出することができる。
【００４３】
図１は、本発明の一実施例によるタッチパネル検査装置を示した図である。
【００４４】
図１に図示されたように、タッチパネル検査装置（１００）は、映像獲得部（１１０）、領域設定部（１２０）、欠陥検出部（１３０）及び出力部（１４０）を含む。タッチパネル検査装置（１００）の各コンポーネントは、コンピュータ装置で具現されたり、そのようなコンピュータ装置と連動されて動作する他の装置で具現され得る。
【００４５】
映像獲得部（１１０）は、セル領域を含むタッチパネル用ガラスシートを撮像して映像を獲得するように構成される。それぞれのセル領域には、そのセル領域に対応する単位セルパターンが含まれ得る。各単位セルパターンは同一であり得、異なることもある。検査対象体のガラスシートは、光学系を用いて映像分析に基づく検査が行われ得るタッチパネル用ガラスシートであれば、その種類は特に制限されない。例えば、映像獲得部（１１０）は、図２に図示されたレイアウト（ｌａｙｏｕｔ）を有する例示的なタッチパネル用ガラスシート（２００）を一つの全体領域として撮像したり、区分された領域に分割して撮像した映像を獲得することができる。一例として、映像獲得部（１１０）は、タッチパネル用ガラスシート（２００）上の複数のセル領域（２１０-１〜２１０-１５）をそれぞれ撮像し、複数のセル領域（２１０-１〜２１０-１５）それぞれの映像を含むスキャン映像を獲得することができる。
【００４６】
このために、本発明の一実施例による映像獲得部（１１０）は、図３に図示されたように入力部（１１２）、撮像機器制御部（１１４）、撮像機器（１１６）及びメモリー（１１８）を含むことができる。
【００４７】
入力部（１１２）は、タッチパネル用ガラスシート（２００）のレイアウト情報を（例えば、ファイル形態で）受信することができる。例えば、入力部（１１２）は、このレイアウト情報を用いてタッチパネル用ガラスシート（２００）上のセル領域（２１０-１〜２０１-１５）を識別することができる。これにより、入力部（１１２）は、セル領域（２１０-１〜２１０-１５）それぞれの位置情報を獲得してメモリー（１１８）に保存することができる。
【００４８】
撮像機器制御部（１１４）は、撮像機器（１１６）がセル領域（２１０-１〜２１０-１５）を含むタッチパネル用ガラスシート（２００）を一つの全体領域としてまたは区分された領域に分割して撮像できるように撮像機器（１１６）を移動させることができる。例えば、撮像機器制御部（１１４）は、識別されたセル領域（２１０-１〜２１０-１５）それぞれの位置情報をメモリー（１１８）から判読し、撮像機器（１１６）がセル領域（２１０-１〜２１０-１５）それぞれの映像を捕捉するように撮像機器（１１６）を判読された位置情報によりＸ軸及び/またはＹ軸方向に移動させることができる。一方、タッチパネル用ガラスシート（２００）上のセル領域の周辺には、センサー電極の蒸着のための基準点（２６０）やガラスシート（２００）または各セル領域に付与された製品番号（ｌｏｔ  ｎｕｍｂｅｒ）のような表示（２７０、２８０）が存在することがあるが、撮像機器制御部（１１４）は、撮像機器（１１６）によりその表示を撮像せず、セル領域（２１０-１〜２１０-１５）それぞれの映像を含むスキャン映像を獲得するように制御することができる。この場合には、映像分析においてそのような表示がガラスシート（２００）上の欠陥として認識されることを防止するための別途のメカニズムは必要ではない。
【００４９】
撮像機器（１１６）は、撮像機器制御部（１１４）の制御下でタッチパネル用ガラスシート（２００）の外観（例えば、図２に示した表面）を撮像してセル領域（２１０-１〜２１０-１５）を示す映像を獲得することができる。また、撮像機器（１１６）は、獲得された映像をメモリー（１１８）に保存することができる。撮像機器（１１６）は、タッチパネル用ガラスシート（２００）のような検査対象体から入射される光を受容して映像を捕捉できるものであれば、特に限定されず、カメラ（例えば、ＣＣＤ（Ｃｈａｒｇｅ−Ｃｏｕｐｌｅｄ  Ｄｅｖｉｃｅ）カメラ）、光センサーなどを含むことができる。図３には図示されなかったが、撮像機器（１１６）の撮像のために検査対象体に光を照射する光源が検査対象体の周りに配置され得る。例えば、ＬＥＤランプ（Ｌｉｇｈｔ  Ｅｍｉｔｔｉｎｇ  Ｄｉｏｄｅ  Ｌａｍｐ）、メタルハライドランプ（Ｍｅｔａｌ  Ｈａｌｉｄｅ  Ｌａｍｐ）のようなハロゲンランプ、蛍光灯、白熱電球などが光源として使用され得る。また、撮像機器（１１６）及び光源の配置、撮像機器（１１６）の撮像角度及び光源の光照射角度は、検査対象体の適切な撮像及び適切な光照射ができれば特に制限されない。
【００５０】
また、図１を参照し、タッチパネル検査装置（１００）の残りのコンポーネントに対して説明する。
【００５１】
本発明の一実施例によると、ユーザーは、映像獲得部（１１０）により獲得された映像に対する多様なタイプの入力（例えば、獲得された映像に対して周期比較領域及びセル対セル（ｃｅｌｌ−ｔｏ−ｃｅｌｌ）比較領域を指定する入力）を領域設定部（１２０）に提供することができる。このために、ユーザーは、入力デバイス（例えば、マウスのようなポインティングデバイス、キーボード、タッチ入力デバイス及び/または音声入力デバイス）を用いた多様なタイプの動作（例えば、マウスのようなポインティングデバイスを用いたクリック（ｃｌｉｃｋ）、ホバリング（ｈｏｖｅｒｉｎｇ）及びドラッグアンドドロップ（ｄｒａｇ  ａｎｄ  ｄｒｏｐ）などの動作、そしてキーボードを用いてテキストを記入する、一つのキーまたは二つ以上のキーの組合せを押すなどの動作）のうち、少なくとも一つを行うことができる。
【００５２】
領域設定部（１２０）は、このような入力を受信するように構成される。このために、領域設定部（１２０）は、上のような入力を受信するために適合したユーザーインターフェースを提供することができる。例えば、領域設定部（１２０）は、映像獲得部（１１０）により獲得された映像に対して周期比較領域及びセル対セル比較領域を指定する入力を受信することができる。また、領域設定部（１２０）は、映像獲得部（１１０）により獲得された映像に対して複数の区分された下位領域を指定する入力を受信することができる。このとき、区分された下位領域それぞれ内の単位セルパターンは、同一であり得る。一方、区分された下位領域それぞれ内の単位セルパターンは、他の下位領域内の単位セルパターンと異なってもよい。
【００５３】
一例として、図４に図示されたように、領域設定部（１２０）は、セル領域（２１０-１〜２１０-１５）中の一つ（例えば、ユーザーまたはタッチパネル検査装置（１００）により任意に選択されたセル領域（２１０-９））を示す映像（４１０）がディスプレイされたユーザーインターフェース（４００）を提供することができる。これにより、領域設定部（１２０）は、セル領域（２１０-１〜２１０-１５）それぞれで周期比較領域の相対的位置及びセル対セル比較領域の相対的位置が同一となるように周期比較領域及びセル対セル比較領域を指定する入力を受信することができる。
【００５４】
他の例として、領域設定部（１２０）で受信された入力は、獲得された映像に対して複数の区分された下位領域を指定するだけでなく、区分された下位領域の中の少なくとも２個の下位領域で周期比較領域の相対的位置を同一に指定することができ、区分された下位領域別にセル対セル比較領域の相対的位置を異なるように指定することができる。これと異なり、領域設定部（１２０）に受信された入力は、獲得された映像に対して複数の区分された下位領域を指定する際、区分された下位領域別に周期比較領域の相対的位置を異なるように指定することができ、区分された下位領域の中の少なくとも２個の下位領域でセル対セル比較領域の相対的位置を同一に指定することができる。
【００５５】
これから、周期比較領域とセル対セル比較領域に対してさらに具体的に詳察する。図４の映像（４１０）から見られるように、セル領域（２１０-１〜２１０-１５）それぞれは、ＩＴＯ（Ｉｎｄｉｕｍ  Ｔｉｎ  Ｏｘｉｄｅ）パターン、金属パターンなどのような電極パターンを含む領域（４１１）及びそのような電極パターンを含まない領域（４１２）に区分され得る。また、電極パターンを含まない領域（４１２）には、二つのホール（ｈｏｌｅ）（例えば、セル領域を使用する電子機器に内蔵されたカメラに光が入射するカメラホール及びその電子機器から赤外線が放出されるＩＲホール）（４１３、４１４）、ロゴ（ｌｏｇｏ）（４１５）、マーク（ｍａｒｋ）（４１６）及び/またはセル領域と関連された特定記号（４１７）が存在することができる。
【００５６】
映像から欠陥を検出するための通常の方式の中の一つは、獲得された映像で周期比較領域内のピクセルを予め設定された横及び/または縦方向のピクセル周期単位で検査する。例えば、このような横/縦周期比較法は、Ｘ軸方向にａ個のピクセル及びＹ軸方向にｂ個のピクセルの映像部分を周辺の同一の大きさの映像部分と比べて、互いに対応する位置のピクセルが異なる場合、欠陥があると判定する。しかし、電極パターンが存在する領域（４１１）、ホール（４１３、４１４）、ロゴ（４１５）、マーク（４１６）及び記号（４１７）が存在するセル領域（２１０-１〜２１０-１５）の映像に対して横/縦周期比較法を一括して適用することは困難であるが、この比較法によると、正常のセル領域にも欠陥があることと判定されることがあるためである。
【００５７】
その代わり、領域設定部（１２０）は、ユーザーにとって獲得された映像に対して周期比較領域及びセル対セル比較領域をユーザーインターフェース（４００）上で指定できるようにする。例えば、図５に図示されたように、ユーザーは、領域（５１２、５１３、５１４、５１５、５１６、５１７）の検査方法を横/縦周期比較法で設定する際、領域（５１１、５１８、５１９、５２０）の検査方法をセル対セル比較法で設定する入力を領域設定部（１２０）に提供することができる。例えば、セル対セル比較法は、獲得された映像でセル対セル比較領域をタッチパネル用ガラスシート（２００）上のセル領域の中の３個以上のセル領域の間で比べることができる。例えば、セル領域（２１０-２）及びその左右の隣接するセル領域（２１０-１及び２１０-３）内の領域（５１１、５１８、５１９、５２０）に該当する映像部分に対してパターン比較を行って欠陥を検出して欠陥の位置を識別するセル対セル比較法を採択することができる。
【００５８】
また、領域設定部（１２０）により受信される入力は、獲得された映像に対して非検査領域を指定する入力であってもよい。例えば、領域設定部（１２０）は、領域（５２１）の映像検査を省略するように指定する入力を受信することができる。
【００５９】
さらに、領域設定部（１２０）により受信される入力は、獲得された映像に対して複数の区分された下位領域を指定する際、区分された下位領域それぞれの非検査領域を指定する入力であってもよい。このとき、区分された下位領域の中の少なくとも２個の下位領域それぞれには、単位セルパターン（例えば、指定された非検査領域で異なるパターンを有する単位セルパターン及び/または指定された非検査領域を除いた領域で同一のパターンを有する単位セルパターン）が含まれ得る。
【００６０】
一方、領域設定部（１２０）は、ユーザーにとってセル対セル比較領域内部に互いに区分される検査領域及びその検査領域に対する異なる検査条件をユーザーインターフェース（４００）上で指定するようにできる。例えば、領域（５１１）内の互いに異なる種類のパターン（例えば、ＩＴＯパターンと金属パターン）は、互いに検査条件が異なることがあるが、ある種類のパターンは、欠陥があってもその機能が発揮される一方、他の種類のパターンは、そうでないことがあるためである。したがって、図６に図示されたように、ユーザーは、パターン部位別に検査領域（６１１、６１２、６１３）を設定し、各検査領域に対して異なる検査条件を設定する入力を、ユーザーインターフェース（４００）を通じて領域設定部（１２０）に提供することができる。
【００６１】
欠陥検出部（１３０）は、映像獲得部（１１０）により獲得された映像で周期比較領域内のピクセルを横/縦周期比較法を通じて比べる第１映像検査及びその映像でセル対セル比較領域をセル対セル比較法を通じて比べる第２映像検査の中の少なくとも一つを行って、欠陥を検出するように構成される。一例として、欠陥検出部（１３０）は、領域設定部（１２０）から受信された入力によりセル領域（２１０-１〜２１０-１５）それぞれの映像に対して、第１映像検査及び第２映像検査の中の少なくとも一つを行うことができる。また、欠陥検出部（１３０）は、セル対セル比較領域の中の検査領域別に異なる検査条件により欠陥の有無を判定することができる。一方、欠陥検出部（１３０）は、非検査領域に対する映像検査（例えば、第１映像検査及び第２映像検査）は省略することができる。さらに、映像獲得部（１１０）により獲得された映像に対して複数の区分された下位領域を指定する入力を領域設定部（１２０）が受信した場合、欠陥検出部（１３０）は、下位領域別に第１映像検査及び第２映像検査を行うことができる。
【００６２】
欠陥検出部（１３０）が第１映像検査及び第２映像検査の中の少なくとも一つを通じて欠陥を検出する場合、出力部（１４０）は、検出された欠陥の位置を表示するように構成される。例えば、図７に図示されたように、出力部（１４０）は、セル領域（２１０-１〜２１０-１５）に対して検出された欠陥がどこに位置するかを表示するユーザーインターフェース（７００）を提供することができる。
【００６３】
また、出力部（１４０）は、ある欠陥の位置を示す表示に対するユーザー選択に応答して、その欠陥の映像をディスプレイすることができる。欠陥が発生したセル領域の映像が相当に大きい容量を有する場合、その映像をディスプレイするより、欠陥を含む一部分の映像をディスプレイする方がタッチパネル検査装置（１００）にとって負担が少なくなる。
【００６４】
例えば、図７のユーザーインターフェース（７００）に示されたグラフィック表現（７０１）は、横/縦周期比較法を通じて検出された第１欠陥の位置を表示し、グラフィック表現（７０２）は、セル対セル周期比較法を通じて検出された第２欠陥の位置を表示すると仮定する。図７から分かるように、第１欠陥及び第２欠陥は、セル領域（２１０-７）上で発生した。もし、ユーザーがユーザーインターフェース（７００）上でグラフィック表現（７０１）を選択する場合、出力部（１４０）は、そのようなユーザー選択に応答して第１欠陥を示す映像をディスプレイすることができる。例えば、図８は、該セル領域を示す表題と共に第１欠陥及び周辺部分を示す映像（８００）を示している。もし、ユーザーがユーザーインターフェース（７００）上でグラフィック表現（７０２）を選択する場合、出力部（１４０）は、そのようなユーザー選択に応答して第２欠陥を示す映像をディスプレイすることができる。例えば、図９は、該セル領域を示す表題と共に第２欠陥及び予め設定された大きさの周辺部分を示す映像（９００）を示している。さらに、ユーザーの便宜のために出力部（１４０）は、セル対セル比較法を通じて比較された周辺セル領域内の対応する部分を示す映像をディスプレイすることができる。例えば、セル対セル比較法でセル領域（２１０-７）がセル領域（２１０-８、２１０-９）と比較される場合、出力部（１４０）はセル領域（２１０-８）の一部分を示す映像（例えば、図９の映像（９１０））及びセル領域（２１０-９）の一部分を示す映像（例えば、図９の映像（９２０））もディスプレイすることができ、この映像は、セル領域（２１０-７）上の第２欠陥に対応する部分を示す。
【００６５】
また、本発明の他の実施例は、複数のセル領域を含むタッチパネル用ガラスシートを一つの全体領域として撮像したり、区分された領域に分割して撮像した映像を獲得する段階；前記映像に対して周期比較領域及びセル対セル比較領域を指定する入力を受信する段階；及び前記映像で前記周期比較領域内のピクセルを予め設定された周期単位で比べるための第１映像検査及び前記映像で前記セル対セル比較領域を前記複数のセル領域の中の少なくとも３個のセル領域の間で比べるための第２映像検査の中の少なくとも一つを行って、前記ガラスシート上の欠陥を検出する段階を含むタッチパネル検査方法を提供する。例えば、このようなタッチパネル検査方法は、本発明の一実施例によるタッチパネル検査装置（例えば、前述したタッチパネル検査装置（１００））を用いて行われ得る。
【００６６】
以上、本発明の代表的な実施例を詳細に説明したが、本発明が属する技術分野で通常の知識を有した者は、上述した実施例に対して本発明の範疇から外れない限度内で多様な変形が可能であることが理解できる。したがって、本発明の権利範囲は、説明された実施例に限って定められてはならず、後述する特許請求範囲だけでなくこの特許請求範囲と均等なものなどにより定められなければならない。
【符号の説明】
【００６７】
１００：タッチパネル検査装置
１１０：映像獲得部
１１２：入力部
１１４：撮像機器制御部
１１６：撮像機器
１１８：メモリー
１２０：領域設定部
１３０：欠陥検出部
１４０：出力部
【図１】
0006619194.tif 000002
【図２】
0006619194.tif 000003
【図３】
0006619194.tif 000004
【図４】
0006619194.tif 000005
【図５】
0006619194.tif 000006
【図６】
0006619194.tif 000007
【図７】
0006619194.tif 000008
【図８】
0006619194.tif 000009
【図９】
0006619194.tif 000010